(57)【特許請求の範囲】
【請求項１】
テキストメッセージを表示する英数字表示器のない無線通信装置を使用して、中央メッセージ記憶領域を含んでいる無線通信システムにおける音声メールメッセージ通知および検索をする無線通信装置であって、
遠隔位置の無線通信装置からの無線伝送を検出するアンテナと、
検出された無線伝送に基づいた無線通信メッセージを受信するためアンテナに接続された受信機であって、無線通信メッセージが、無線通信装置のため中央メッセージ記憶領域に記憶された音声メールメッセージの数の指示データを含み、かつ無線通信装置のため中央メッセージ記憶領域に記憶された音声メールメッセージを検索するコールのため動的コールバック電話番号の伝送された指示データのデータ部分を含んでいる予定のフォーマットを有する受信機と、
無線通信装置のため中央メッセージ記憶領域に記憶された音声メールメッセージの数の指示データを記憶する記憶位置と、
少なくとも１つの音声メールメッセージが無線通信装置のために中央メッセージ記憶領域に記憶されたことの指示をユーザに提供するため、記憶位置がゼロより大きいデータ値を有するとき選択的に可能にされ、記憶位置がゼロに等しいデータ値を有するとき選択的に不可能にされる音声メールメッセージ通知回路と、
無線通信装置のために中央メッセージ記憶領域に記憶された音声メールメッセージを検索するコールのため予定のコールバック電話番号の予定の指示データを記憶する第１のコールバック番号記憶領域と、
無線通信メッセージ内にデータが含まれて伝送されたなら、無線通信装置のために中央メッセージ記憶領域に記憶された音声メールメッセージを検索するコールのため動的コールバック電話番号の伝送された指示データを記憶する第2のコールバック番号記憶領域と、
アンテナに接続され、中央メッセージ記憶領域から音声メールメッセージを検索するために音声メールメッセージ検索要求を伝送し、無線通信メッセージ内にデータが含まれて伝送されたなら中央メッセージ記憶領域から音声メールメッセージを検索するために動的コールバック電話番号を使用し、無線通信メッセージが無線通信メッセージ内に伝送されたデータを含まないなら予定のコールバック電話番号を使用する送信機とを含んでいる無線通信装置。
【請求項２】
音声メールメッセージ通知回路が、少なくとも１つの音声メールメッセージが無線通信装置のために中央メッセージ記憶領域に記憶されたことの可視指示をユーザに提供するため、記憶位置がゼロより大きいデータ値を有するとき選択的に可能にされる点滅光を含む請求項１の無線通信装置。
【請求項３】
音声メールメッセージ通知回路が、少なくとも１つの音声メールメッセージが無線通信装置のために中央メッセージ記憶領域に記憶されたことの可聴指示をユーザに提供するため、記憶位置がゼロより大きいデータ値を有するとき選択的に可能にされる可聴信号を含む請求項１の無線通信装置。
【請求項４】
可聴信号が変わったダイヤルトーンである請求項３の無線通信装置。
【請求項５】
中央メッセージ記憶領域に記憶された音声メールメッセージの数の指示データを記憶する記憶位置がスピードダイヤル記憶領域の部分にあるスピードダイヤル記憶領域をさらに含む請求項１の無線通信装置。
【請求項６】
ユーザにより操作されるキーパッドと、キーパッドに接続され予定のシーケンスでキーパッドのキーのユーザ活性化に応答する処理装置とをさらに含み、処理装置はキーパッドのキーの予定のシーケンスのユーザ活性化に応答して音声メールメッセージ検索要求を伝送するため送信機を活性化する請求項１の無線通信装置。
【請求項７】
第1のコールバック番号記憶領域に記憶された予定のコールバック電話番号がサービスプログラムドコールバック電話番号である請求項１の無線通信装置。
【請求項８】
無線通信メッセージが伝送されたデータを含まないなら、第2のコールバック番号記憶領域に記憶された動的コールバック電話番号をクリアする処理装置をさらに含む請求項１の無線通信装置。
【請求項９】
第2のコールバック番号記憶領域がスピードダイヤル記憶領域の部分にあるスピードダイヤル記憶領域をさらに含む請求項８の無線通信装置。
【請求項１０】
中央メッセージ記憶領域を含んでいる無線通信システムにおける音声メールメッセージ通知および検索をする無線通信装置であって、
中央メッセージ記憶領域から無線通信装置への音声メールメッセージ通知を検出しかつ処理する音声メールメッセージ通知処理装置であって、音声メールメッセージ通知が、伝送されたコールバック電話番号を選択的に含む可能性のある音声メール検索コールバック電話番号を含む音声メールメッセージ通知処理装置と、
音声メールメッセージ通知とともに伝送されたなら、伝送されたコールバック電話番号を記憶する動的コールバック番号記憶領域と、
無線通信装置のために中央メッセージ記憶領域に記憶された音声メールメッセージを検索するコールのため予定の電話番号を記憶する予定のコールバック番号記憶領域と、
中央メッセージ記憶領域からの音声メールメッセージを検索するために音声メールメッセージ検索要求を伝送する送信機であって、動的コールバック番号が音声メールメッセージ通知とともに伝送されたなら、中央メッセージ記憶領域から音声メールメッセージを検索するために動的コールバック番号記憶領域に記憶された伝送されたコールバック電話番号を使用し、音声メールメッセージ通知が伝送されたコールバック電話番号を含まないなら、中央メッセージ記憶領域から音声メールメッセージを検索するため予定のコールバック番号記憶領域に記憶された予定の電話番号を使用する送信機とを含んでいる無線通信装置。
【請求項１１】
記憶位置がゼロに等しいデータ値を有するとき、音声メールメッセージ通知回路が選択的に不能にされる請求項10の無線通信装置。
【請求項１２】
ユーザにより操作可能なキーパッドと、キーパッドに接続され予定のシーケンスでキーパッドのキーのユーザ活性化に応答する処理装置とをさらに含み、処理装置はキーパッドのキーの予定のシーケンスのユーザ活性化に応答して音声メールメッセージ検索要求を伝送するため送信機を活性化する請求項10の無線通信装置。
【請求項１３】
音声メールメッセージ通知回路が、少なくとも１つの音声メールメッセージが無線通信装置に転送されるために中央メッセージ記憶領域に記憶されたことの可視指示をユーザに提供するため、記憶位置がゼロより大きいデータ値を有するとき選択的に可能にされる光を含む請求項10の無線通信装置。
【請求項１４】
音声メールメッセージ通知回路が、少なくとも１つの音声メールメッセージが無線通信装置に転送されるために中央メッセージ記憶領域に記憶されたことの可聴指示をユーザに提供するため、記憶位置がゼロより大きいデータ値を有するとき選択的に可能にされる可聴信号を含む請求項10の無線通信装置。
【請求項１５】
音声メールメッセージ通知処理装置は、もし音声メールメッセージ通知がコールバック電話番号を含まないなら動的コールバック番号記憶領域に記憶されたデータをクリアし、送信機は中央メッセージ記憶領域からの音声メールメッセージを検索するため予定のコールバック番号記憶領域に記憶された電話番号を使用する請求項10の無線通信装置。
【請求項１６】
テキストメッセージを表示する英数字表示器のない無線通信装置を使用して、中央メッセージ記憶領域を含んでいる無線通信システムにおける音声メールメッセージ通知および検索をする無線通信装置を使用する方法であって、
無線通信装置のため中央メッセージ記憶領域に記憶された音声メールメッセージを検索するためコールする予定のコールバック電話番号を記憶し、
中央メッセージ記憶領域から無線通信装置への音声メールメッセージ通知を検出し、音声メールメッセージ通知は、伝送されたコールバック電話番号を選択的に含む可能性のある音声メール検索コールバック電話番号とを含み、
無線通信装置へ転送されるための中央メッセージ記憶領域に記憶された音声メールメッセージの数の指示データを記憶し、
音声メールメッセージ通知とともに伝送されたなら、伝送されたコールバック電話番号を記憶し、
中央メッセージ記憶領域からの音声メールメッセージを検索するために記憶され伝送されたコールバック電話番号を使用して音声メールメッセージ検索要求を伝送し、
音声メールメッセージ通知が伝送された音声メール検索コールバック電話番号を含まないなら、中央メッセージ記憶領域から音声メールメッセージを検索するため予定のコールバック電話番号を使用して音声メールメッセージ検索要求を伝送するステップを含んでいる方法。
【請求項１７】
記憶されたデータがゼロに等しいデータ値を有するとき、メッセージ指示器を選択的に不能にするステップをさらに含む請求項16の方法。
【請求項１８】
予定のコールバック電話番号がサービスプログラムドコールバック電話番号である請求項16の方法。
【請求項１９】
予定のシーケンスでキーパッドのキーを活性化するためキーパッドのユーザ操作を感知するステップをさらに含み、音声メールメッセージ検索要求を伝送するステップがキーパッドのキーの予定のシーケンスのユーザ活性化に応答して実行される請求項16の方法。
【請求項２０】
メッセージ指示器が光を含み、メッセージ指示器を選択的に可能にするステップが光をターンオンするステップを含む請求項16の方法。
【請求項２１】
メッセージ指示器が音源を含み、メッセージ指示器を選択的に可能にするステップが音源を使用して可聴信号を発生するステップを含む請求項16の方法。
【請求項２２】
次に受信された音声メールメッセージ通知が伝送されたコールバック電話番号を含まないなら、記憶された伝送されたコールバック電話番号をクリアするステップをさらに含み、伝送するステップが中央メッセージ記憶領域からの音声メールメッセージを検索するため記憶された予定の電話番号を使用する請求項16の方法。
【発明の詳細な説明】
【０００１】
発明の背景
I．発明の分野
本発明は全般的に無線通信装置に係り、なお特に無線通信システムにおける音声メールメッセージを検索する装置および方法に関する。
II．関連技術の記述
セルラー電話のような無線通信装置は通常の電話システムに対する補充として広く使用される。通常の電話に対する補充としての機能に加えて、無線通信装置はテキストメッセージ検索および音声メール検索のために使用されるかもしれない。これらの無線通信装置は時々パーソナル通信システム（PCS）として知られ、検索されたテキストメッセージを表示するために英数字表示器を必要とする。英数字表示器はまたユーザを待っている音声メールメッセージの指示を提供する。音声メールメッセージは中央メッセージ記憶領域に記憶され、指定された電話番号をダイヤルすることにより検索される。
【０００２】
他の無線通信装置は英数字表示器を持たず、メッセージを受信または検索することが不可能である。例えば、無線ローカルループ（WLL）システムは、通常の電話インフラストラクチュアが最小または存在しない領域に無線通信を提供する。WLLシステムは中央電話交換に個々のユーザを接続する電線を必要とすることなく基本的な電話サービスを提供する。しかし、通常のWLL電話は表示器を含まず、かくしてテキストメッセージまたは音声メール検索の可能性を持たない。
【０００３】
PCS装置のような無線通信装置は通信サービスの多様性を提供するのに対し、WLL装置のような他の通信装置はかかる可能性を持たない。それ故、英数字テキスト表示器を持たない無線通信装置を使用して音声メッセージ検索をする装置および方法に多大な必要性があることが認識され得る。本発明はこれと以下の記述および添付図により示されるであろう他の利点を提供する。
【０００４】
発明の概要
一実施例において、本発明は音声メールメッセージ通知および検索に関する無線通信装置に向けられ、そこで無線通信装置はテキストメッセージの表示器として英数字表示器を持たない。無線通信装置は中央メッセージ記憶領域を含む無線通信システムで作働するように意図される。無線通信装置は中央メッセージ記憶領域から無線通信装置への音声メールメッセージ通知を検出かつ処理する音声メールメッセージ通知処理装置を含む。音声メールメッセージ通知は無線通信装置へ転送されるべき中央メッセージ記憶領域に記憶された音声メールメッセージの数の指示データを含む。無線通信装置はまた中央メッセージ記憶領域に記憶された音声メールメッセージの数の指示データを記憶する記憶位置を含む。少なくとも１つの音声メールメッセージが無線通信装置へ転送されるように中央メッセージ記憶領域に記憶されたことの指示をユーザに提供するため、記憶領域がゼロより大きいデータ値を有するとき、音声メールメッセージ通知回路が選択的に可能にされる。記憶位置がゼロに等しいデータ値を有するとき、音声メールメッセージ通知回路は選択的に不可能にされる。
【０００５】
音声メールメッセージ通知回路は、音声メールメッセージが中央メッセージ記憶領域に記憶されたことの可視指示を提供するため選択的に可能とされる光、あるいは少なくとも１つの音声メールメッセージが中央メッセージ記憶領域に記憶されたことの可聴指示を提供する可聴信号を含み得る。
【０００６】
無線通信装置はまた、中央メッセージ記憶領域に記憶された音声メールメッセージを検索するためにコールするため、サービスプログラム電話番号のような予定の電話番号を記憶するコールバック番号記憶領域を含む。音声メールメッセージ通知は、音声メールメッセージ通知と一緒に音声メール検索コールバック電話番号の伝送の可能性を含む。無線通信装置は伝送されたコールバック電話番号を記憶する動的コールバック番号記憶領域を含む。
【０００７】
もし音声メールメッセージ通知がコールバック電話番号を含むなら、送信機は動的コールバック番号記憶領域に記憶された伝送されたコールバック電話番号を使用して、中央メッセージ記憶領域からの音声メールメッセージを検索するため、音声メールメッセージ検索要求を伝送する。他方、送信機は音声メールメッセージを受信するため、コールバック番号記憶領域に記憶された予定の電話番号を使用する。もし音声メールメッセージ通知がコールバック電話番号を含まないなら、音声メールメッセージ通知処理装置は動的コールバック番号記憶領域に前に記憶されたデータをクリアする。
【０００８】
本発明の特徴、目的および利点は、同じ参照符号が対応している同一物を示す図面と共に受け取られるとき以下に示す詳細な記述からより明らかになるであろう。
【０００９】
好ましい実施例の詳細な説明
PCS電話のような高価な無線通信装置は標準特長としてテキストメッセージすることを提供する。テキストメッセージすることは英数字表示器の使用を必要とする。英数字表示器は典型的にテキストメッセージが受信されたとき指示するためにアイコンまたは他の指示器を含む。テキストメッセージは中央メッセージ記憶領域から検索され、英数字表示器に表示される。同様に、英数字表示器は待っている音声メールメッセージをユーザに通知するアイコンまたは他の指示器を含む。ユーザは予定の電話番号をコールすることにより中央メッセージ記憶領域からの音声メールメッセージを検索する。
【００１０】
本発明はテキストメッセージすることまたはメッセージ到着指示の英数字表示器を持たない無線通信装置において、音声メール検索の技術に向けられる。これは個々の電話がテキストメッセージの可能性を持たないWLLシステムのような低コストシステムにおいて特に利点がある。本発明は図１の機能的ブロック図に示された無線通信装置100で実施される。無線通信装置100は英数字テキストメッセージの可能性を持たないセルラー電話のような任意の無線通信装置により簡単に実施され得る。しかし、明確にするため、以下のパラグラフはセルラー電話内の無線通信装置100の実施を記述する。無線通信装置100は高価な英数字表示器を必要とすることなく、無線通信装置に音声メールメッセージ通知および検索を提供する。
【００１１】
無線通信装置100は中央処理ユニット（CPU）102と、読出し専用メモリおよびランダムアクセスメモリの両方を含むメモリ104とを含む。メモリ104のランダムアクセス部分はまた不揮発性メモリを含んでもよい。無線通信装置100はまた無線通信装置100を制御するためユーザにより作動可能なキーパッド106を含む。
【００１２】
送信機110および受信機112は、無線通信装置100とセルサイト制御器（図２参照）のような遠隔場所との間で可聴周波通信のようなデータの伝送および受信を許容する。送信機110および受信機112はトランシーバ114に結合されてもよい。アンテナ118はトランシーバ114に結合される。
【００１３】
１つまたはそれ以上の音声メールメッセージが受信され、中央メッセージ記憶領域（図２参照）に記憶された指示をユーザに提供するメッセージ指示器120が無線通信装置100にまた含まれる。メッセージ指示器は音声メールメッセージがユーザのために受信されたことの可視および/または可聴指示をユーザに提供する。一実施例において、無線通信装置100は音声メールメッセージ到着指示器として光即ち点滅LEDのような可視指示器122を含んでもよい。代わりに無線通信装置100は音声メールメッセージ到着指示器としてスピーカのような可聴指示器124を含んでもよい。可聴指示器124は通常の無線通信装置に組込まれたスピーカを使用して実施されてもよい。メッセージ指示器120の詳細は以下に提供される。
【００１４】
無線通信装置100内にダイヤル数字記憶領域126が行き先電話番号を一時的に記憶するために使用される。技術において知られるように、ユーザが所望の行き先電話番号を入力するためキーパッド106を操作すると、それはダイヤル数字記憶領域126に一時的に記憶される。ユーザがキーパッド106のセンドキー（示されない）を押すとき、送信機110がダイヤル数字記憶領域126の番号をセルサイト制御器（図２参照）に伝送する。WLLシステムにおいて、無線通信装置100は典型的にセンドボタンを持たないが、ユーザは受信機をフックから離し、所望の行き先電話番号をダイヤルする通常の電話と同一な方法で作動する。この実施例において、無線通信装置100は完全な行き先電話番号を記憶するダイヤル数字記憶領域126を持つ必要がない。
【００１５】
以下により詳細に記述されるように、工業規格が無線通信システムにおけるメッセージ通知のために提供される。ある例において、メッセージ通知は音声メールメッセージを検索するために使用され得るコールバック電話番号を含む。コールバック番号は無線通信装置100のユーザが音声メールメッセージを検索するために使用し得る行き先電話番号である。無線通信装置100は音声メールメッセージ通知とともに伝送されたコールバック番号を記憶する動的コールバック番号記憶領域128を含む。
【００１６】
無線通信装置100はまたサービスプログラム音声メールメッセージ検索電話番号の記憶のためサービスプログラムコールバック番号記憶領域130を含む。例えば、あるサービスは国を通して単一音声メールメッセージ検索電話番号の利用を提供する。この実施例において、サービスプログラムコールバック番号記憶領域130は、無線通信装置100が運転のため最初にプログラムされた時に認識された番号でプログラムされる。動的コールバック番号記憶領域128およびサービスプログラムコールバック番号記憶領域130はメモリ104の一部であってもよい。例示的実施例において、動的コールバック番号記憶領域128およびサービスプログラムコールバック番号記憶領域130はメモリ104の不揮発性部分に記憶される。代わりに、動的コールバック番号記憶領域128およびサービスプログラムコールバック番号記憶領域130は、無線通信装置100におけるスピードダイヤル適用のために指定されたメモリ104の部分であってもよい。スピードダイヤルメモリの配置は技術においてよく知られており、ここにより詳細に記述されない。
【００１７】
また無線通信装置100はメッセージ数記憶領域134を含む。メッセージ数記憶領域134は無線通信装置100のユーザを待っている読まれていない音声メールメッセージの数を表わすデータ値を含む。以下に詳細に記述されるように、音声メールメッセージ通知は中央メッセージ記憶領域（図２参照）に記憶された読まれていないメッセージの数を表わすデータ値を含む。例示的実施例において、メッセージ数記憶領域134はスピードダイヤル適用のために指定されたメモリ104の一部である。スピードダイヤルのために保持されたメモリ104の配置は使用されていないかつ将来適用するために保持された２つの数字を含む。選択されたスピードダイヤル配置の２つの数字記憶は無線通信装置100のユーザを待っているメッセージの数を記録するために使用されてもよい。
【００１８】
無線通信装置100の種々の構成要素がバスシステム136によりともに接続され、それはパワーバス、制御信号バス、およびデータバスに加えて状態信号バスを含んでもよい。しかし簡潔のため、種々のバスはバスシステム136として図１に示される。
【００１９】
音声メールメッセージを検索するため無線通信装置100の動作がセルラー電話システムとして図２に示される。セルサイト制御器150はセルサイトアンテナ152に接続される。セルサイト制御器150およびアンテナ152は通常のやり方で無線通信装置100と通信し、それはここに記述されない。セルサイト制御器は通信リンク158を経て中央メッセージ記憶領域156に接続される。中央メッセージ記憶領域156はセルサイト制御器150と同じ物理的な配置であってもよく、セルサイト制御器から離れて配置されてもよい。通信リンク158は電線ケーブル、光ファイバケーブル、ネットワーク接続、マイクロ波リンク等のような知られた通信の任意の形であり得る。本発明は通信リンク158の特定の形により制限されない。
【００２０】
第３者が無線通信装置100の電話番号（即ち、モバイル確認番号）をコールすることによるような、通常の方法で無線通信装置100のために音声メールメッセージを発生することができる。もしユーザが電話コールに答えないなら、あるいはもしパワーが無線通信装置100に対して切られているなら、第３者呼出し人は中央メッセージ記憶領域156に音声メールメッセージを預けてもよい。音声メールメッセージの完結を追跡するため、中央メッセージ記憶領域156は音声メールメッセージ通知を発生し、セルサイト制御器150およびアンテナ152を経て無線通信装置100へ音声メールメッセージ通知を伝送する。
【００２１】
例示的実施例において、音声メール通知メッセージは１つまたはそれ以上の工業規格に従って選択されたデータフォーマットを利用する。例えばIS−95AおよびJ−STD−008はそれぞれ800メガヘルツおよび1900メガヘルツで符号分割多元接続(CDMA)通信の標準を提供する。これらの工業規格の各々は、ユーザによりまだ検索されなかった中央メッセージ記憶領域156に記憶されたメッセージの数の指示データを含む待っている信号メッセージを提供する。無線通信装置100に使用され得る他の規格は短いメッセージサービス(SMS)規格IS−637であり、それはユーザによりまだ検索されなかった中央メッセージ記憶領域156におけるメッセージの数の指示データを含む音声メール通知メッセージを提供する。SMS規格もまたメッセージの送り手により選択された優先レベル、および任意のコールバック番号を提供する。
【００２２】
もしコールバック番号が音声メール通知メッセージに含まれるなら、コールバック番号は動的コールバック番号記憶領域128（図１参照）に記憶される。代わりに、もし音声メールメッセージ通知がコールバック番号を含まないなら、音声メールメッセージはサービスプログラムコールバック番号記憶領域130におけるサービスプログラム電話番号を使用して中央メッセージ記憶領域156から検索されてもよい。もう１つの代替実施例において、ハードコード化されたコールバック番号がメモリ104の読出し専用部分に記憶されたプログラムコードに含まれてもよい。この実施例において、ユーザはキーパッド106の予定の１つのキーを活性化にすることにより中央メッセージ記憶領域156から音声メールメッセージを検索してもよい。
【００２３】
無線通信装置100は音声メール検索のため認識したコールバック番号を自動的に決定する予定のハイアラーキを利用する。もし無線通信装置100がハードコード化されたコールバック番号を含むなら、ユーザは中央メッセージ記憶領域156から音声メールメッセージを検索するため無線通信を起こすキーパッド106の予定のキーを活性化することのみが必要である。もしコールバック番号が無線通信装置100にハードコード化されてないなら、無線通信装置は動的コールバック番号記憶領域128に記憶された伝送されたコールバック番号、またはサービスプログラムコールバック番号記憶領域130におけるサービスプログラム番号を利用するであろう。無線通信装置100は最近受信された音声メールメッセージ通知からコールバック番号のみを記憶する。もしコールバック電話番号が音声メールメッセージ通知と一緒に伝送されるなら、無線通信装置100は次の音声メール検索のため、伝送されたコールバック番号を動的コールバック番号記憶領域128に蓄える。もし次の音声メールメッセージ通知が受信されかつコールバック番号を持たないなら、無線通信装置100は、無線通信装置が時代遅れになったコールバック電話番号を使用しないように動的コールバック番号記憶領域128をクリアする。
【００２４】
かくして、無線通信装置100はもし利用可能なら動的コールバック番号記憶領域128のコールバック番号を使用するであろう。もしコールバック番号が動的コールバック番号記憶領域128に存在しないなら、無線通信装置100はサービスプログラムコールバック番号記憶領域130の電話番号を利用する。代わりに、ユーザはキーパッド106を使用して音声メール検索電話番号を手動入力できる。
【００２５】
正常な作動において、キーパッド106を経て手動入力されるか、動的コールバック番号記憶領域128またはサービスプログラムコールバック番号記憶領域130からリコールされた望ましいコールバック番号は、ダイヤルされる数字記憶領域126へ移される。送信機110はダイヤルされる数字をセルサイト制御器150へ伝送する。代わりに、送信機110は、音声メールメッセージを検索するため、動的コールバック番号記憶領域128またはサービスプログラムコールバック番号記憶領域130の何れかから直接番号を伝送してもよい。
【００２６】
ユーザはキーパッド106の予定のキーまたは一連のキーを活性化することにより中央メッセージ記憶領域156から音声メールメッセージを検索する。例示的実施例において、ユーザは音声メールメッセージを検索するためキーパッド106で“99＊”を入力する。しかし、他の個々のキーまたはキーシーケンスが無線通信装置100により簡単に使用され得る。従って、本発明は音声メールメッセージを検索するために使用される特定のキーまたはキーシーケンスにより制限されない。
【００２７】
上記されたコールバック電話番号ハイアラーキの利点は、サービス提供者が音声メールメッセージ検索のため、サービスプログラムコールバック番号記憶領域130（図１参照）を固定された電話番号でプログラムしてもよいことである。しかし、もしユーザが異なるコールバック電話番号を使用する異なる地理的領域にいるか、サービス提供者がコールバック電話番号を変更することを望むなら、新しいコールバック電話番号が音声メールメッセージ通知の一部として伝送されてもよい。無線通信装置100は新しいコールバック電話番号を自動的に使用し、それは動的コールバック番号記憶領域128に記憶される。このプロセスは音声メールメッセージを検索するために予定のキーシーケンス（例えば99＊）を単純にダイヤルするユーザに平明である。無線通信装置100は認識したコールバック電話番号を自動的に選択する。
【００２８】
無線通信装置100は上記された方法で認識された音声メールメッセージ検索番号を決定する。一度無線通信装置100が中央メッセージ記憶領域156と接触を確立すると、メッセージはキーパッド106の個々のキー（示されない）を使用して検索され得る。音声メールメッセージを検索するためのキーの活性化は技術においてよく知られており、ここに記述する必要がない。ユーザが中央メッセージ記憶領域156からの各音声メールメッセージを検索するとき、記憶されたメッセージはユーザにより読まれたとしてマークされる。ユーザが中央メッセージ記憶領域からの１つまたはそれ以上のメッセージを検索し、コールを終了するとき、中央メッセージ記憶領域156は読まれなかった記憶されたメッセージの数を決定し、新しい音声メール通知メッセージを無線通信装置100へ送る。もし全てのメッセージがユーザにより読まれたなら、音声メールメッセージ通知は、中央メッセージ記憶領域156がユーザに読まれていない音声メールメッセージを持たないことを示すゼロのデータ値を含む。しかし、もしユーザが全ての音声メールメッセージを検索しなかったなら、音声メールメッセージ通知は、中央メッセージ記憶領域156内に含まれたまだ読まれない音声メールメッセージがあることの指示をユーザに提供する。ユーザは中央メッセージ記憶領域156からの音声メールメッセージを削除する必要がないことに注目すべきである。しかし、音声メールメッセージ通知はユーザにより読まれなかった音声メールメッセージの数のみを示すデータを含む。
【００２９】
もし無線通信装置がターンオンされかつセルサイト制御器150に登録しているなら、新しいメッセージが中央メッセージ記憶領域156に受信されたとき、無線通信装置100は自動的に音声メール通知メッセージを受信する。代わりに、無線通信装置がターンオンされかつ最初にセルサイト制御器150に登録するとき、音声メールメッセージが無線通信装置100へ送られる。何れの場合においても、無線通信装置100は中央メッセージ記憶領域156における読まれていない音声メールメッセージの数を示すデータを含んでいる音声メールメッセージ通知を受信する。もし読まれていないメッセージの数がゼロより大きいなら、メッセージ指示器120は読まれていないメッセージがユーザによる検索を待っていることの指示を発生する。メッセージ指示器は可視指示器122または可聴指示器124を選択的に活性化する。
【００３０】
代わりに、無線通信装置100のユーザが無線通信装置を“オフフック”状態に置いたときメッセージ指示器120は変えたダイヤルトーンを発生することができる。“オフフック”の語は通常の電話がフックから取り去られダイヤルトーンが発生された作動状態をさす。セルラー電話のように無線通信装置に関しても、オフフックなる語は“センド”ボタン（図示されない）が活性化される作動状態をさす。しかし、WLLシステムにおいて、無線通信装置100は受信機を持ち上げることにより簡単にオフフック状態に置かれる。かくして、メッセージ指示器120は、読まれていない音声メールメッセージが中央メッセージ記憶領域156に記憶されることの指示を無線通信装置100のユーザへ提供する。
【００３１】
図２はセルラー電話として無線通信装置100の作動を示す。しかし、代わりの実施例が本発明の原理に従って指定されてもよい。図３は電話ケーブル164および工業規格電話プラグ166を含んでいる通常の電話162を使用する無線通信装置100の実施例を示す。無線通信装置100は無線アダプタ168内に含まれ、それはデスクトップユニットとして送信機110（図１参照）および受信機112を含む。無線アダプタ168は電話プラグ166を受けるため工業規格電話ジャック170を含む。無線アダプタ168はセルラー電話電圧および信号を通常の電話162により使用されるそれらに変換する。通常の電話162は、読まれていない音声メールメッセージが中央メッセージ記憶領域156に記憶されていることの指示をユーザに提供する可視指示器122を含んでもよい。ユーザは上述の方法で記憶された音声メールメッセージを検索できる。代わりに、ユーザが通常の電話162のハンドセットを持ち上げたとき、メッセージ指示器120が可聴信号または変わったダイヤルトーンを発生することができる。
【００３２】
音声メール通知のための無線通信装置100の作動が図４のフローチャートに示される。スタート200において、無線通信装置がターンオンされかつセルサイト制御器150（図２および３参照）に登録されたと仮定される。ステップ202において、無線通信装置100はセルサイト制御器150およびアンテナ152を経て中央メッセージ記憶領域156から音声メール通知メッセージを受信する。もし中央メッセージ記憶領域156の読まれていないメッセージの数がゼロより大きいことを音声メール通知メッセージが示すなら、決定204の結果はイエスである。もし全ての音声メールメッセージが中央メッセージ記憶領域156から検索されたなら、音声メールメッセージ通知は読まれていないメッセージの数としてゼロの値を示すであろう。この場合決定204の結果はノーである。もし決定204の結果がノーであるなら、無線通信装置100はステップ208で動的コールバック番号記憶領域128に記憶されたコールバック電話番号をクリアする。ステップ210において、無線通信装置100は読まれていないメッセージの数をゼロに等しく設定する。ステップ212において、システム100はメッセージ指示器120を不可能にし、かくして可視指示器122および可聴指示器124をターンオフする。プロセスはステップ214で終わる。
【００３３】
もし中央メッセージ記憶領域156（図２および３参照）に読まれていないメッセージがあると、決定204の結果はイエスである。この場合決定220において、無線通信装置100は最近の音声メールメッセージ通知と一緒にコールバック番号を受信したか否かを決定する。もしコールバック番号が音声メール通知メッセージと一緒に受信されなかったなら、決定220の結果はノーである。この場合無線通信装置100はステップ222で動的コールバック番号記憶領域128をクリアする。
【００３４】
ステップ226において、無線通信装置100はメッセージ数記憶領域134を中央メッセージ記憶領域156における読まれていないメッセージの数の新しい値指示に設定する。ステップ228において、読まれていない音声メールメッセージが中央メッセージ記憶領域156内に現に記憶されていることの指示をユーザに提供するため、無線通信装置はメッセージ指示器120を可能にし、それは可視指示器122および/または可聴指示器124を活性化する。プロセスは230で終わる。
【００３５】
図４において、もし音声メールメッセージ通知がコールバック番号を含むなら、決定220の結果はイエスである。この場合ステップ224において、無線通信装置100は音声メールメッセージ通知からのコールバック番号を動的コールバック番号記憶領域128に記憶する。続くステップ226で、無線通信装置100はメッセージ数記憶領域134を中央メッセージ記憶領域156における読まれていないメッセージの値に等しく設定する。ステップ228において、読まれていない音声メールメッセージが中央メッセージ記憶領域156内に現に記憶されていることの指示をユーザに提供するため、無線通信装置はメッセージ指示器120を可能にし、それは可視指示器122および/または可聴指示器124を活性化する。プロセスは230で終わる。
【００３６】
代わりの音声メールメッセージ通知が図５のフローチャートに示される。スタート250で音声メールメッセージ通知がすでに無線通信装置100により受信されたと仮定される。ステップ252において、無線通信装置100はオフフック状態を検出する。決定254において、無線通信装置100はメッセージ数記憶領域134（図１参照）のメッセージの数がゼロより大きいか否かを決定する。もし中央メッセージ記憶領域（図２および３参照）に記憶された読まれていないメッセージがあるなら、決定254の結果はイエスである。この場合ステップ256において、読まれていない音声メールメッセージがユーザによる検索を待っていることを可聴的な指示でユーザに提供するため、メッセージ指示器120は変わったダイヤルトーンを発生する。無線通信装置100は260でプロセスを終わる。もし中央メッセージ記憶領域156に読まれていないメッセージがないなら、無線通信装置100のメッセージ数記憶領域134はゼロの値を有するであろう。この場合決定254の結果はノーである。結果として、無線通信装置100はオフフックが起るときステップ258において正常なダイヤルトーンを発生する。再びプロセスは260で終わる。
【００３７】
音声メールメッセージを検索する無線通信装置100の作動が図６のフローチャートに示される。スタート270で、無線通信装置100がターンオンされかつセルサイト制御器150（図２および3参照）に登録されたと仮定される。ステップ272において、無線通信装置100はキーパッド106の予定のキーシーケンスのユーザ選択を検出する。前述されたように、キーパッドボタンシーケンスの多くの異なった形が予定のキーシーケンスとして使用され得る。ここに記述された例示的実施例において、99＊が予定のキーシーケンスとして選択される。
【００３８】
予定のキーシーケンスがステップ272で検出されるとき、無線通信装置100はステップ274でコールバック番号が動的コールバック番号記憶領域128（図１参照）に存在するか否かを決定する。もしコールバック番号が動的コールバック番号記憶領域128に存在するなら、決定274の結果はイエスであり、ステップ276において、無線通信装置はダイヤルされた数字記憶領域126を動的コールバック番号記憶領域128における番号に等しく設定する。もし番号が動的コールバック番号記憶領域128に存在しないなら、決定274の結果はノーであり、ステップ278において、無線通信装置100はダイヤルされた数字記憶領域126をサービスプログラムコールバック番号記憶領域130における番号に等しく設定する。
【００３９】
ステップ276または278の完結の後、無線通信装置100はステップ280でダイヤルされた数字記憶領域126におけるコールバック番号を伝送する。もし無線通信装置100がセルラー電話であるなら、ユーザが無線通信装置をセンドボタン（示されない）を活性化することによりなされるオフフックに置くことを、ステップ280の適当な実行が要求することを注目すべきである。もしWLLシステムで実施されるなら、予定のキーのユーザ入力を検出するステップ272に先立って、ユーザは受信機を持ち上げることにより無線通信装置をオフフック状態に置く。かくして、ユーザが予定のキーを入力するとき、ステップ280は選択されたコールバック番号を自動的に伝送する。何れの実施においても、送信機110（図１参照）はダイヤルされた数字記憶領域126の数字をセルサイト制御器150へ伝送する。
【００４０】
セルサイト制御器150は通信リンク158を経て中央メッセージ記憶領域156と通信を確立する。無線通信装置100および中央メッセージ記憶領域156間の接続が確立されたとき、無線通信装置はステップ282で１つまたはそれ以上の記憶されたメッセージを中央メッセージ記憶領域156から受信できる。ユーザが無線通信装置100および中央メッセージ記憶領域156間の接続を終了するとき、プロセスは284で終わる。
【００４１】
かくして、無線通信装置100は簡単な音声メールメッセージ通知の可能性および高価な英数字表示器を必要とすることなく検索の可能性を提供する。この技術はWLLのようなシステムに特に有用であり、そこで通常の電話は無線アダプタとともに使用されてもよい。
【００４２】
好ましい実施例の以上の記述は本発明を作りまたは使用する技術に熟練したどんな人にも可能なように提供された。これらの実施例の種々の変形が技術に熟練した者に既に明らかであり、ここに定義された基本的原理は、発明能力を使用することなく他の実施例に適用され得る。かくして、本発明はここに示された実施例に限定されることを意図されず、ここに開示された原理および新規な特徴と共に最も広い範囲の構成に従わされるべきである。
【図面の簡単な説明】
【図１】  本発明の原理により設計された無線通信装置の機能的なブロック図である。
【図２】  中央メッセージ記憶領域と通信する図１の無線通信装置の作動の機能的なブロック図である。
【図３】  中央メッセージ記憶領域と通信する図１の無線通信装置の作動の代替実施例の機能的なブロック図である。
【図４】  ユーザに音声メールメッセージ通知を提供する図１のシステムの作動のフローチャートである。
【図５】  ユーザに代わりの音声メールメッセージ通知を提供する図１の無線通信装置の作動のフローチャートである。
【図６】  中央メッセージ記憶領域から音声メールメッセージを検索する図１の無線通信装置の作動のフローチャートである。
【符号の説明】
100…無線通信装置、102…中央処理ユニット、104…メモリ、106…キーパッド、110…送信機、112…受信機、114…トランシーバ、118…アンテナ、120…メッセージ指示器、122…可視指示器、124…可聴指示器、126…ダイヤル数字記憶領域、128…動的コールバック番号記憶領域、130…サービスプログラムコールバック番号記憶領域、134…メッセージ数記憶領域、136…バスシステム、150…セルサイト制御器、152…セルサイトアンテナ、156…中央メッセージ記憶領域、158…通信リンク、162…電話、164…電話ケーブル、166…電話プラグ、168…無線アダプタ、170…電話ジャック
【図１】
0003987281.tif 000002
【図２】
0003987281.tif 000003
【図３】
0003987281.tif 000004
【図４】
0003987281.tif 000005
【図５】
0003987281.tif 000006
【図６】
0003987281.tif 000007